(57)【要約】  【課題】  容器本体と蓋とを連結させたペンダントにおいて、容易に薬を容器内に入れることができるようにすることを課題とする。  【解決手段】  本容器型ペンダントは、有底の筒状である容器本体３、容器本体の開口を塞ぐやはり有底の筒状である蓋１により構成され、ペンダントを吊り下げる線状体としての鎖４により吊り下げられる。容器本体３および蓋１は金属もしくは合成樹脂により構成される。容器本体３には開口側には蓋１に係合する外形に削られた蓋係合部２が設けられ、蓋係合部２の開口縁の一部に鎖４の一端を固定する穴を有する突起である線状体容器固定部２ａが設けられる。蓋１の底面（上面）には鎖４が通る大きさの貫通孔１ａが設けられる。蓋１の貫通孔１ａを通り、線状体容器固定部２ａに一端が固定される鎖４により蓋１と容器本体３とは連結される。【選択図】  図１
2005027903.tif 000002
【特許請求の範囲】
【請求項１】
有底の筒状である容器本体と、
前記容器本体の開口を塞ぐ蓋と、
前記蓋に設けられる貫通孔と、
前記容器本体に設けられる、ペンダントを吊り下げる線状体の一端を固定する線状体容器固定部と、
を有する容器型ペンダント。
【請求項２】
前記蓋は、前記容器本体の開口側の外周面に係合する有底の筒状であり、前記貫通孔は、前記蓋の底に設けられる請求項１に記載の容器型ペンダント。
【請求項３】
前記線状体容器固定部は前記容器本体の開口縁に設けられる請求項１又は２項に記載の容器型ペンダント。
【請求項４】
前記蓋に、前記線状体の容器本体に固定されない他端を固定する線状体蓋固定部を設けた請求項１から３のいずれか１項に記載の容器型ペンダント。
【請求項５】
請求項１から３のいずれか１項に記載の容器型ペンダントを前記線状体により吊り下げたネックレスであって、
前記貫通孔に前記線状体を通し、前記線状体容器固定部に前記線状体の一端を固定したネックレス。
【請求項６】
請求項４に記載の容器型ペンダントを前記線状体により吊り下げたネックレスであって、
前記貫通孔に前記線状体を通し、前記線状体容器固定部に前記線状体の一端を固定し、前記線状体蓋固定部に前記線状体の他端を固定したネックレス。
【請求項７】
前記線状体の途中に前記蓋に設けられた貫通孔を通らない大きさの係止体が設けられた請求項６に記載のネックレス。
【発明の詳細な説明】
【技術分野】
【０００１】
本発明は容器を有するペンダントに関し、特に、ペンダントの容器本体と容器の蓋とが連結しているペンダントに関する。
【背景技術】
【０００２】
薬等を持ち運ぶ際に紛失しないように容器の付いたペンダントに入れて持ち運ぶことが広く行われている。このようなペンダントは、通常、容器本体と蓋とにより構成される。容器本体に蓋をする方式としては、キャップ式に蓋を容器本体にかぶせるもの、蓋と容器本体にねじを切っておいて嵌め合わせるもの、容器本体と蓋の一部を蝶番で連結し開閉させるものなどがある。通常、容器本体か蓋のいずれか一方がチェーンにつながれてネックレスとして使用されるが、キャップ式やねじ式の場合はチェーンにつながれていない方はチェーンから分離できるので、これらを落としたり紛失する恐れがある。一方、蝶番を用いたものではこのような恐れはないが、蝶番が突起物として衣服に引っかかったり、また、衝撃で開いてしまったりする恐れがある。
このような問題を解決する方法としてネックレスのチェーンを蓋と容器本体の両方に通す方法が提案されている（特許文献１参照）。具体的には、キャップ式の容器本体の開口縁近傍に対向する穴を２つ設け、蓋の方にも容器本体に嵌めたときに容器本体に設けられた穴と重なるような穴を２つ設けて、これらの４つの穴にチェーンを通す。このような方法をとれば蓋をチェーンに沿って上に上げれば蓋が開き、蓋と容器本体もチェーンで連結されるので蓋や容器本体を紛失する恐れがない。また、薬は容器本体の開口近傍にまたがって通るチェーンを上から押さえるようにして入れることで、チェーンを引っ張れば薬がチェーンに押されて出てくるので薬を取り出しやすいという効果も生じる。
【特許文献１】実公平３−３７６２５号公報（図２、図３）
【発明の開示】
【発明が解決しようとする課題】
【０００３】
ところで、上記特許文献１に記載の発明では、チェーンを引っ張れば薬が押し出される点は利点でもあるが、不注意でチェーンを引っ張ってしまった場合は薬が容器から飛び出してしまうという欠点にもなる。このようなことが発生しないように薬の下にチェーンを通さないように入れることも考えられるが、開口近傍をチェーンが塞ぐ形になるので、薬を容器内に入れるのは手間である。
そこで、本発明はこのような問題に鑑みて、容器本体と蓋とを連結させたペンダントにおいて、容易に薬を容器内に入れることができるようにすることを課題とする。
【課題を解決するための手段】
【０００４】
上記課題を解決するために本発明は、次のような構成を有する。
請求項１に記載の発明は、有底の筒状である容器本体と、前記容器本体の開口を塞ぐ蓋と、前記蓋に設けられる貫通孔と、前記容器本体に設けられる、ペンダントを吊り下げる線状体の一端を固定する線状体容器固定部とを有する容器型ペンダントである。なお、ここでのペンダントは首からぶら下げるものに限らず、携帯のストラップ先端につけるもの等、紐等につけて対象物にぶら下げるものを広く含む。また、線状体はペンダントを吊り下げることができればよく、鎖、より紐、ゴム紐等が例示され、線状体がペンダントヘッドの一部になる場合は、金属や合成樹脂の棒材でもよい。さらに、線状体の端は線状体が線状体を折り曲げて２重にするような場合には、折り曲げられた先端を含む。
このような構成により、線状体の一端を線状体容器固定部に固定し、線状体を蓋に設けられる貫通孔に通して容器本体と蓋を連結させた場合、線状体は一端でのみ容器本体に固定されているので、線状体が容器の開口を塞ぐことはない。
【０００５】
請求項２に記載の発明は、前記容器型ペンダントにおいて、前記蓋は前記容器本体の開口近傍の外周面に係合する有底の筒状であり、前記貫通孔は、前記蓋の底に設けられるものである。
このような構成により、線状体に沿った蓋の移動の方向が蓋の容器本体に係脱する方向に一致する。
請求項３に記載の発明は、前記容器型ペンダントにおいて、前記線状体容器固定部は前記容器本体の開口縁に設けられるものである。
このような構成により、線状体を線状体容器固定部に固定しても容器本体内部に線状体が存在しなくなる。
請求項４に記載の発明は、前記容器型ペンダントにおいて、前記蓋に前記線状体の容器本体に固定されない他端を固定する線状体蓋固定部を設けたものである。
このような構成により、蓋の貫通孔にネックレスチェーンとなる線状体を通して、線状体の一端を容器本体の線状体容器固定部に固定し、線状体の他端を蓋の線状体蓋固定部に固定すれば、蓋を開けて線状体に沿わせて容器本体から離れる方向に移動すると、固定されている線状体の他端も移動し線状体でできる輪が小さくなる結果、ネックレスをぶら下げている位置から容器本体までの距離が伸びることになる。
【０００６】
請求項５に記載の発明は、請求項１から３のいずれか１項に記載の容器型ペンダントを前記線状体により吊り下げたネックレスであって、前記貫通孔に前記線状体を通し、前記線状体容器固定部に前記線状体の一端を固定したネックレスである。このネックレスは請求項１から３の容器型ペンダントと同様の作用をもたらす。
請求項６に記載の発明は、請求項４に記載の容器型ペンダントを前記線状体により吊り下げたネックレスであって、前記貫通孔に前記線状体を通し、前記線状体容器固定部に前記線状体の一端を固定し、前記線状体蓋固定部に前記線状体の他端を固定したネックレスである。このネックレスは請求項４の容器型ペンダントと同様の作用をもたらす。
請求項７に記載の発明は、請求項６に記載の前記ネックレスにおいて、前記線状体の途中に前記蓋に設けられた貫通孔を通らない大きさの係止体が設けられたものである。
このような構成により、蓋を開けて線状体に沿わせて容器本体から離れる方向に移動させた場合に、蓋が係止体のところで止まり線状体でできる輪はそれ以上小さくならない。
【発明の効果】
【０００７】
請求項１に記載の発明は、線状体が容器の開口を塞ぐことはないので容易に内容物を容器内部に入れることができる。
請求項２に記載の発明は、蓋の線状体に沿った移動の方向が蓋の容器本体に係脱する方向に一致するので、蓋をする際に線状体に蓋を沿って移動させれば容易に蓋を容器本体に係合させることができる。
請求項３に記載の発明は、容器内部に線状体が存在しなくなるのでより容易に容器内部へ内容物の出し入れができる。
請求項４に記載の発明は、蓋を移動させることで、ネックレスをぶら下げている位置から容器本体までの距離が伸びることになるので、特に首にぶら下げている場合に、容器本体が開放した状態において操作のしやすい位置に容器本体を移動させて内容物の出し入れができる。
請求項５に記載のネックレスは請求項１から３の容器型ペンダントと同様の効果を奏し、
請求項６に記載のネックレスは請求項４に記載の容器型ペンダントと同様の効果を奏する。
請求項７に記載の発明は、蓋を移動させても蓋が係止体のところで止まり線状体でできる輪はそれ以上小さくならないので、係止体を適当な位置にもうければネックレスを首にぶら下げて蓋を移動させても首が絞まることはない。
【発明を実施するための最良の形態】
【０００８】
以下、本発明の最良の実施形態について図面を参照しながら説明する。
（実施の形態１）
図１に実施の形態１に係る容器型ペンダントの蓋の開いた状態を表す斜視図を示し、図２に実施の形態１に係る容器型ペンダントの蓋の閉じた状態を表す斜視図を示す。図に示すように、本容器型ペンダントは、有底の筒状である容器本体３、容器本体の開口を塞ぐやはり有底の筒状である蓋１により構成され、ペンダントを吊り下げる線状体としての鎖４により吊り下げられる。容器本体３および蓋１は金属もしくは合成樹脂により構成される。容器本体３には開口側には蓋１に係合する外形に削られた蓋係合部２が設けられ、蓋係合部２の開口縁の一部に鎖４の一端を固定する穴を有する突起である線状体容器固定部２ａが設けられる。蓋１の底面（上面）には鎖４が通る大きさの貫通孔１ａが設けられる。図に示すように蓋１の貫通孔１ａを通り、線状体容器固定部２ａに一端が固定される鎖４により蓋１と容器本体３とが連結される。
このような構成により、蓋１を開けても蓋１は鎖４により落下することはない。そして、鎖４が一端のみで容器本体３の開口縁に設けられる線状体容器固定部２ａに固定されるので、容器の開口は鎖４に邪魔されることがなく、容易に内容物である薬等を出し入れすることが可能となる。なお、本実施の形態１に係る容器型ペンダントは鎖４を比較的短く構成し、その先端にリングを設けて、鎖４をつけた状態でペンダントヘッドとして使用する。
【０００９】
（実施の形態２）
図３に実施の形態２に係る容器型ペンダントの蓋の開いた状態を表す斜視図を示し、図４に実施の形態２に係る容器型ペンダントの蓋の閉じた状態を表す斜視図を示す。実施の形態２に係る容器型ペンダントの実施の形態１に係る容器型ペンダントに対する相違点は、容器本体３および蓋１の形状である。すなわち、容器本体は円筒に２箇所の張り出し部分が設けられており、蓋１もこれに係合するような形状となっている。このような形状をとることにより、長方形状の包装シートに入った薬などを入れる場合に張り出し部分により十分な空間を確保することができる。
【００１０】
（実施の形態３）
図５に実施の形態３に係る容器型ペンダントの蓋１近傍を示す斜視図を示す。実施の形態３に係る容器型ペンダントの実施の形態１に係る容器型ペンダントに対する相違点は、蓋１の上面に線状体の一端を固定する穴を有する突起である線状体蓋固定部１ｂが設けられている点である。また、ここでは鎖４はそのままネックレスとして使用できる比較的長いものを使用する。さらに、鎖４には後述するように蓋１の貫通孔１ａが通らない係止体４ａが設けられる。
このような構成の容器型ペンダントの作用を以下に説明する。図６（ａ）に蓋を閉じた状態の本実施の形態に係る容器型ペンダントを使用したネックレスを示す。図に示すように鎖４の途中に係止体４ａが設けられる。係止体４ａは鎖４を狭持できる弾性をもつ合成樹脂材でできており、鎖４の任意の位置で固定できる。
図６（ｂ）に蓋１を開いた状態の本実施の形態に係る容器型ペンダントを使用したネックレスを示す。蓋１を開いて貫通孔１ａを鎖４に沿わせていくと、蓋１の線状体蓋固定部に固定される鎖４の一端も一緒に鎖４に沿って移動することになる。この結果、鎖４の輪になっている部分が短くなり、容器本体を首にかけた状態で長く引き出すことができる。そして、蓋１は係止体４ａにより止められるので、ネックレスをしている人の首が絞まることを防ぐことができる。
【図面の簡単な説明】
【００１１】
【図１】実施の形態１に係る蓋を開いた状態の容器型ペンダントを示す斜視図である。
【図２】実施の形態１に係る蓋を閉じた状態の容器型ペンダントを示す斜視図である。
【図３】実施の形態２に係る蓋を開いた状態の器型ペンダントを示す斜視図である。
【図４】実施の形態２に係る蓋を閉じた状態の容器型ペンダントを示す斜視図である。
【図５】実施の形態３に係る容器型ペンダントの蓋近傍を示す拡大斜視図である。
【図６】（ａ）は実施の形態３に係る容器型ペンダントを使用したネックレスの蓋を閉じた状態を示す斜視図であり、（ｂ）は実施の形態３に係る容器型ペンダントを使用したネックレスの蓋を開いた状態を示す斜視図である。
【符号の説明】
【００１２】
１    蓋
１ａ  貫通孔
１ｂ  線状体蓋固定部
２    蓋係合部
２ａ  線状体容器固定部
３    容器本体
４    鎖
【図１】
2005027903.tif 000003
【図２】
2005027903.tif 000004
【図３】
2005027903.tif 000005
【図４】
2005027903.tif 000006
【図５】
2005027903.tif 000007
【図６】
2005027903.tif 000008